(57)【特許請求の範囲】
【請求項１】
飲料容器を保持するドリンクホルダであって、
挿入開口を有する天板部と、
上記天板部の下方に配置され、上記挿入開口に挿入された上記飲料容器の底部を支持する支持面を有するとともに、上昇位置と該上昇位置よりも低い下降位置との間で昇降動作可能な台座と、
上記台座と上記台座の下方に配置されるホルダベースとの間に介装され、上記台座を上記上昇位置に向けて弾性付勢する弾性部材と、
上記天板部の下方に上記飲料容器と係合可能に設けられた係合爪を有し、上記台座が上記弾性部材の弾性付勢力に抗して上記上昇位置から上記下降位置へと向かう下降動作に伴って上記係合爪が上記天板部から上方へ突出することなく上記台座の上方空間を外れた保持解除位置から上記上方空間に進入したのち該上方空間において上記台座の上記支持面との上下方向の間隔を縮めながら保持位置に向けて動くように上記ホルダベースに取り付けられている可動アームと、
上記台座が上記下降位置まで下降し且つ上記係合爪が上記保持位置まで動いたときに上記可動アームをロックするロック機構と、
上記ロック機構による上記可動アームのロックを解除可能なロック解除機構と、
を備えるドリンクホルダ。
【請求項２】
上記可動アームの上記係合爪は、上記台座の上記支持面よりも低所において上記可動アームと上記ホルダベースとを連結する回動軸のまわりに上記保持解除位置と上記保持位置との間で回動可能に構成されている、請求項１に記載のドリンクホルダ。
【請求項３】
上記可動アームは、一方のアーム端部に上記係合爪を備え、他方のアーム端部に設けられた第１回動軸において上記台座に回動自在に連結され、且つ上記係合爪と上記第１回動軸との間に設けられた、上記回動軸としての第２回動軸において上記ホルダベースに回動可能に連結されており、上記台座が上記上昇位置から上記下降位置へと向かう下降動作に連動して上記係合爪が上記第２回動軸を中心に上記保持解除位置から上記保持位置に向けて回動するように構成されている、請求項２に記載のドリンクホルダ。
【請求項４】
上記台座を上記上昇位置から上記下降位置に向けて押し下げる動作毎に、上記可動アームがロックされたロック状態と該ロックが解除されたロック解除状態とを切り替えるオルタネイト動作を行うオルタネイト動作部を備え、上記オルタネイト動作部が上記ロック機構及び上記ロック解除機構を兼務する、請求項３に記載のドリンクホルダ。
【請求項５】
上記台座は、支軸において互いに回動自在に連結された一対のクロスリンクアームを介して上記ホルダベースに連結され、上記ホルダベースに対して平行に昇降動作可能に構成されている、請求項１〜４のいずれか一項に記載のドリンクホルダ。
【請求項６】
上記台座は、上記天板部の上記挿入開口に進入可能な形状をなし、上記上昇位置において上記挿入開口に進入して上記支持面が上記天板部の上面と同一平面を形成するように構成されている、請求項１〜５のいずれか一項に記載のドリンクホルダ。
【発明の詳細な説明】
【技術分野】
【０００１】
本発明は、飲料容器を保持するドリンクホルダに関する。
【背景技術】
【０００２】
自動車のセンターコンソール等に配置されるドリンクホルダの一例が下記特許文献１及び２に開示されている。特許文献１に開示のドリンクホルダは、天板部を構成する支持部材を備え、この支持部材にカップ等の飲料容器が挿入される挿入開口が設けられている。このドリンクホルダによれば、支持部材の挿入開口に挿入された飲料容器は、その容器外周面が挿入開口の開口縁部によって保持される。また、特許文献２に開示のドリンクホルダは、有底筒形状のホルダケースと、ホルダケースの内部に設けられた円筒シートと、を備えている。このドリンクホルダによれば、ホルダケースの挿入開口に挿入された飲料容器は、その容器外周面に円筒シートの内周面が当接することによって保持される。
【先行技術文献】
【特許文献】
【０００３】
【特許文献１】特開２００２−１２０７８号公報
【特許文献２】特開２００５−４７４３８号公報
【発明の概要】
【発明が解決しようとする課題】
【０００４】
ところで、この種のドリンクホルダの設計に際しては、取り付けられる飲料容器の形状が変わっても飲料容器を保持できる構造を実現したいという要請がある。しかしながら、上記特許文献１及び２に開示のドリンクホルダは、断面形状が挿入開口の形状に近い筒状の飲料容器を保持するのに有効である一方で、例えばワイングラスやシャンパングラスのようなグラス形状の飲料容器を保持するのに適していない。グラス形状の飲料容器は、飲料が注がれるカップと底部に位置する台との間に長軸状のステムが介在するように構成された中細りタイプの飲料容器であり、その外径が高さ方向について大きく変化する。従って、このようなグラス形状の飲料容器を上記の挿入開口や上記の円筒シートを用いて保持するのは難しい。
【０００５】
本発明は、かかる背景に鑑みてなされたものであり、ドリンクホルダにおいて様々な形状の飲料容器を保持するのに有効な技術を提供しようとするものである。
【課題を解決するための手段】
【０００６】
本発明の一態様は、飲料容器を保持するドリンクホルダであって、挿入開口を有する天板部と、上記天板部の下方に配置され、上記挿入開口に挿入された上記飲料容器の底部を支持する支持面を有するとともに、上昇位置と該上昇位置よりも低い下降位置との間で昇降動作可能な台座と、上記台座と上記台座の下方に配置されるホルダベースとの間に介装され、上記台座を上記上昇位置に向けて弾性付勢する弾性部材と、上記天板部の下方に上記飲料容器と係合可能に設けられた係合爪を有し、上記台座が上記弾性部材の弾性付勢力に抗して上記上昇位置から上記下降位置へと向かう下降動作に伴って上記係合爪が上記天板部から上方へ突出することなく上記台座の上方空間を外れた保持解除位置から上記上方空間に進入したのち該上方空間において上記台座の上記支持面との上下方向の間隔を縮めながら保持位置に向けて動くように上記ホルダベースに取り付けられている可動アームと、上記台座が上記下降位置まで下降し且つ上記係合爪が上記保持位置まで動いたときに上記可動アームをロックするロック機構と、上記ロック機構による上記可動アームのロックを解除可能なロック解除機構と、を備えるドリンクホルダにある。
【発明の効果】
【０００７】
上記のドリンクホルダに飲料容器をセットし台座に下向きの荷重が付与されると、台座は弾性部材の弾性付勢力に抗して上昇位置から下降位置へと下降動作する。可動アームの係合爪は、台座のこの下降動作に伴って保持解除位置から保持位置に向けて動く。このとき、係合爪は、台座の上方空間に進入し且つ台座の支持面との上下方向の間隔を縮めながら動き、台座が下降位置まで下降し且つ係合爪が保持位置まで動いたときに可動アームがロックされる。従って、例えば中細りタイプの飲料容器は、その底部に位置する台が可動アームの係合爪と台座の支持面との間に挟まれることによって保持される。この飲料容器をドリンクホルダから取り出す際には、ロック解除機構を作動させた状態で飲料容器を持ち上げることによって、台座に作用する下向きの荷重が除去される。これにより、台座は弾性部材の弾性付勢力にしたがって上昇位置に復帰する。一方で、例えば筒状の飲料容器は、可動アームの係合爪が保持解除位置から台座の上方空間に進入する際に容器外周面に当接することによって保持される。
【０００８】
以上のごとく、上記のドリンクホルダによれば、様々な形状の飲料容器を保持することが可能になる。
【図面の簡単な説明】
【０００９】
【図１】本実施形態における自動車用のシートの斜視図。
【図２】本実施形態のドリンクホルダの保持機構の斜視図。
【図３】図２中の保持機構の側面図。
【図４】本実施形態のドリンクホルダの弾性部材及びオルタネイト動作部のそれぞれの動作を模式的に示す図。
【図５】図３において台座にグラス状の飲料容器が載せられる様子を示す側面図。
【図６】図５において台座が中間位置まで下降した状態を示す側面図。
【図７】図６において台座が下降位置まで下降した状態を示す側面図。
【図８】図３において台座にボトル状の飲料容器が載せられる様子を示す側面図。
【図９】図８において台座が中間位置まで下降した状態を示す側面図。
【図１０】変更例にかかるドリンクホルダの特徴を模式的に示す図。
【発明を実施するための形態】
【００１０】
「飲料容器」には、飲料を収容可能な各種の容器が包含される。従って、この飲料容器として、種々の材質及び形状のものを選択することができる。飲料容器の材質として、典型的にはガラス、ＰＥＴ、アルミニウムや鉄などの金属等を主材料とするものが挙げられる。また、飲料容器の形状として、典型的にはグラス状、ボトル状、カップ状、筒状等が挙げられる。
【００１１】
上記のカップホルダにおいて、上記可動アームは、一方のアーム端部に上記係合爪を備え、他方のアーム端部に設けられた第１回動軸において上記台座に回動自在に連結され、且つ上記係合爪と上記第１回動軸との間に設けられた第２回動軸において上記ホルダベースに回動可能に連結されており、上記台座が上記上昇位置から上記下降位置へと向かう下降動作に連動して上記係合爪が上記第２回動軸を中心に上記保持解除位置から上記保持位置に向けて回動するように構成されるのが好ましい。本構成によれば、可動アームを台座に連動して回動する回動式としたため、可動アームを動かすための機構をコンパクトに設計することができる。その結果、車両シートのアームレストなどの限られたスペースにカップホルダを装着することが可能になる。
【００１２】
上記のカップホルダにおいて、上記台座は、支軸において互いに回動自在に連結された一対のクロスリンクアームを介して上記ホルダベースに連結され、上記ホルダベースに対して平行に昇降動作可能に構成されるのが好ましい。本構成によれば、一対のクロスリンクアームを用いる簡単な構造のリンク機構を利用して、台座をホルダベースに対して平行な状態で安定的に昇降動作させることができる。
【００１３】
上記のカップホルダは、上記台座を上記上昇位置から上記下降位置に向けて押し下げる動作毎に、上記可動アームがロックされたロック状態と該ロックが解除されたロック解除状態とを切り替えるオルタネイト動作を行うオルタネイト動作部を備え、上記オルタネイト動作部が上記ロック機構及び上記ロック解除機構を兼務するのが好ましい。本構成によれば、台座を押し下げる簡単な操作のみで可動アームのロック状態とロック解除状態とを切り替えることができる。また、ロック機構及びロック解除機構のそれぞれの部品が共通化されるためドリンクホルダの部品点数を少なく抑えることが可能になる。
【００１４】
上記のカップホルダにおいて、上記台座は、上記天板部の上記挿入開口に進入可能な形状をなし、上記上昇位置において上記挿入開口に進入して上記支持面が上記天板部の上面と同一平面を形成するように構成されるのが好ましい。本構成によれば、ドリンクホルダの未使用時に天板部及び台座によって凹凸の無いフラットな面を形成することができドリンクホルダの見栄えが良い。
【００１５】
以下、本実施形態のドリンクホルダについて、複数の図面を参照しつつ説明する。このドリンクホルダは、自動車用のシートのアームレストに装着されている。これらの図面において、シート及びドリンクホルダの前後方向を矢印Ｘで示し、シート及びドリンクホルダの上下方向を矢印Ｙで示している。
【００１６】
図１に示されるように、シート１は、自動車の後席に配置される車両シートであり、シートクッション２及びシートバック３を備えている。シートクッション２は、乗員が実質的に着座する座部として構成されている。シートバック３は、シートクッション２の後端部から上方に向けて立ち上がるように配置された背もたれ部として構成されている。シートバック３の左右の座席部分の間に設けられた格納凹部４にアームレスト５が配置されている。アームレスト５は、シートバック３に回動可能に支持され、シート１に対して起立した起立状態と該起立状態から前に倒れた傾倒状態とに設定される。アームレスト５の一端部６には、飲料容器を保持するドリンクホルダ１０が装着されている。アームレスト５が傾倒状態に設定されることにより、ドリンクホルダ１０が使用可能になる。
【００１７】
ドリンクホルダ１０は、天板部２０及び２つの保持機構３０を備えている。天板部２０は、飲料容器のための２つの円形の挿入開口２１を有する。飲料容器は、挿入開口２１に挿入されることによってその動きが挿入開口２１の開口縁部によって規制される。保持機構３０は、天板部２０との協働によって飲料容器を保持する機能を果たす。飲料容器の材質として、典型的にはガラス、ＰＥＴ、アルミニウムや鉄などの金属等を主材料とするものが挙げられる。また、飲料容器の形状として、典型的にはグラス状、ボトル状、カップ状、筒状等が挙げられる。
【００１８】
図２に示されるように、保持機構３０は、ホルダベース３１、台座３５、可動アーム４０及びリンク機構５０を備えている。台座３５は、天板部２０の下方に配置され、天板部２０の挿入開口２１に挿入された飲料容器の底部を支持する支持面３５ａを有する。台座３５は、天板部２０の挿入開口２１に進入可能な形状、即ち挿入開口２１の径を下回る直径を有する円板状の部材として構成されている。台座３５は、リンク機構５０を介してホルダベース３１に連結されており、このリンク機構５０によって上昇位置と該上昇位置よりも低い下降位置との間で昇降動作可能に構成されている。台座３５は、上昇位置において天板部２０よりも下方に配置されるように構成されている。
【００１９】
可動アーム４０は、ホルダベース３１に取り付けられ、台座３５の周方向に等間隔で４つ配置されている。可動アーム４０は、第１アーム部４１及び第２アーム部４２を備えている。可動アーム４０は、一方のアーム端部、即ち略Ｌ字状の第１アーム部４１の先端に飲料容器と係合可能な係合爪４１ａを備えている。係合爪４１ａの延出先端部は、台座３５の中心部を通り上下方向Ｙに延在する仮想的な中心軸線Ｌに向けて延びている。可動アーム４０は、他方のアーム端部、即ち第２アーム部４２の先端に設けられた第１回動軸４３において台座３５の連結片３６に回動自在に連結されている。更に、可動アーム４０は、係合爪４１ａと第１回動軸４３との間に設けられた第２回動軸４４においてホルダベース３１の連結片３２に回動自在に連結されている。
【００２０】
従って、４つの可動アーム４０はそれぞれ、台座３５がホルダベース３１に対して上下方向Ｙに動く動作に連動して第２回動軸４４を中心に回動する。具体的には、可動アーム４０は、台座３５がホルダベース３１に対して下降するとき、この下降動作に連動して係合爪４１ａの延出先端部が台座３５の中心軸線Ｌに近づくように第２回動軸４４を中心に台座３５の径方向内方へ回動する。一方で、可動アーム４０は、台座３５がホルダベース３１に対して上昇するとき、この上昇動作に連動して係合爪４１ａの延出先端部が台座３５の中心軸線Ｌから遠ざかるように第２回動軸４４を中心に台座３５の径方向外方へ回動する。
【００２１】
リンク機構５０は、ホルダベース３１に対して台座３５を平行に昇降動作させる機能を果たす。このリンク機構５０については図３が参照される。尚、図３及び図３に関連する他の図では、リンク機構５０の構造を明確にするために、便宜上、４つの可動アーム４０のうちの２つの記載を省略している。
【００２２】
リンク機構５０は、支軸５１において互いに回動自在に連結された一対のクロスリンクアーム５２，５３を備えている。台座３５は、この一対のクロスリンクアーム５２，５３を介してホルダベース３１に連結されている。クロスリンクアーム５２は、一端部に設けられた回動軸５２ａにおいてホルダベース３１の連結片３３に回動可能に連結され、且つ他端部に設けられた摺動軸５２ｂにおいて台座３５の連結片３７にその長穴３７ａ内を素摺動可能に連結されている。クロスリンクアーム５３は、一端部に設けられた回動軸５３ａにおいて台座３５の連結片３８に回動可能に連結され、且つ他端部に設けられた摺動軸５３ｂにおいてホルダベース３１の連結片３４にその長穴３４ａ内を摺動可能に連結されている。
【００２３】
上記構成のリンク機構５０によれば、台座３５がホルダベース３１に対して下降するとき、クロスリンクアーム５２の摺動軸５２ｂが連結片３７の長穴３７ａ内を図３中の右方向へ摺動し、且つクロスリンクアーム５３の摺動軸５３ｂが連結片３４の長穴３４ａ内を図３中の右方向へ摺動する。従って、一対のクロスリンクアーム５２，５３は支軸５１を中心に摺動軸５２ｂ，５３ｂ同士が近づくように回動し、台座３５は、ホルダベース３１に対して平行に下降する。また、前述のように、台座３５のこの下降動作に連動して、４つの可動アーム４０はいずれも、台座３５の径方向内方へ回動する。
【００２４】
これに対して、台座３５がホルダベース３１に対して上昇するとき、クロスリンクアーム５２の摺動軸５２ｂが連結片３７の長穴３７ａ内を図３中の左方向へ摺動し、且つクロスリンクアーム５３の摺動軸５３ｂが連結片３４の長穴３４ａ内を図３中の左方向へ摺動する。従って、一対のクロスリンクアーム５２，５３は支軸５１を中心に摺動軸５２ｂ，５３ｂ同士が遠ざかるように回動し、台座３５は、ホルダベース３１に対して平行に上昇する。また、前述のように、台座３５のこの上昇動作に連動して、４つの可動アーム４０はいずれも、台座３５の径方向外方へ回動する。
【００２５】
図４（ａ）に示されるように、保持機構３０は、弾性部材６０及びオルタネイト動作部７０を備えている。弾性部材６０は、台座３５とホルダベース３１との間に介装され、台座３５を上昇位置に向けて弾性付勢する部材である。この弾性部材６０は、コイルばねとして構成されている。尚、この弾性部材６０において、コイルばねに代えて板ばねを用いてもよい。
【００２６】
オルタネイト動作部７０は、台座３５を上昇位置から下降位置に向けて押し下げる動作毎に、可動アーム４０がロックされたロック状態と該ロックが解除されたロック解除状態とを切り替えるオルタネイト動作を行う。このオルタネイト動作は、既知の押しボタンスイッチにおけるプッシュロック動作とも称呼される。前述のように可動アーム４０の動きが台座３５の動きに連動しているため、台座３５がホルダベース３１に対してロックされた場合には、このロックに伴って可動アーム４０もロックされる。また、台座３５がホルダベース３１に対してロック解除された場合には、このロック解除に伴って可動アーム４０もロック解除される。換言すれば、台座３５は、可動アーム４０のロック状態とロック解除状態とを交互に切り替える押しボタン式のスイッチになっている。図４（ａ）には、台座３５が上昇位置においてロック解除状態にあるときの様子が示され、図４（ｂ）には、台座３５が下降位置においてロック状態にあるときの様子が示されている。
【００２７】
オルタネイト動作部７０は、所謂「回転カム方式」の動作部である。このオルタネイト動作部７０は、台座３５に設けられたリブ７１に回転軸７１ａを中心に回転自在に支持された回転カム７２と、回転カム７２の周囲端面と接するフレーム７３と、によって構成されている。回転カム７２は、その両端に切り欠き部７２ａを備えている。フレーム７３は、回転カム７２を収容するとともに、その収容壁面に垂直面７３ａ、傾斜面７３ｂ、第１突部７３ｃ及び第２突部７３ｄを備えている。
【００２８】
垂直面７３ａは、回転カム７２が直立状態で上下移動する際に摺接する面である。傾斜面７３ｂは、垂直面７３ａの下方に配置され、垂直面７３ａに対して傾斜した面である。第１突部７３ｃは、垂直面７３ａの下端に設けられ、回転カム７２に係合可能な部位である。第２突部７３ｄは、傾斜面７３ｂの下端よりも若干上方に配置され、回転カム７２に係合可能な部位である。
【００２９】
図４（ａ）に示される台座３５のロック解除状態において、台座３５が弾性部材６０の弾性付勢力に抗して上昇位置から下降位置に向けて押し下げられると、直立状態にある回転カム７２は、垂直面７３ａに摺接しつつ下降する。下降した回転カム７２は、その側面が傾斜面７３ｂに当接することによって回転軸７１ａを中心に図中時計回り方向に回転する。台座３５の押し下げを止めて台座３５が弾性部材６０の弾性付勢力にしたがって僅かに上昇すると、回転カム７２は傾斜した状態で上昇し、図４（ｂ）に示されるように、上側の切り欠き部７２ａにおいて第１突部７３ｃに係合する。その結果、台座３５がホルダベース３１に対してロックされ、且つ可動アーム４０がロックされたロック状態に設定される。
【００３０】
図４（ｂ）に示される台座３５のロック状態において、台座３５が弾性部材６０の弾性付勢力に抗して下向きに押し下げられると、回転カム７２は、上側の切り欠き部７２ａにおける第１突部７３ｃとの係合が解除され、そのままの姿勢で下降する。このとき、回転カム７２は、その端部が第２突部７３ｄに当接し、且つその側面が傾斜面７３ｂに当接することによって回転軸７１ａを中心に図中時計回り方向に回転する。台座３５の押し下げを止めて台座３５が弾性部材６０の弾性付勢力にしたがって上昇するとき、回転カム７２は傾斜した状態で上昇する。このとき、回転カム７２は、第１突部７３ｃに摺接しながらさらに図中時計回り方向に回転し、直立状態に戻った状態で垂直面７３ａに沿って上昇する。その結果、ホルダベース３１に対する台座３５のロックが解除され、且つ可動アーム４０のロックが解除されたロック解除状態に復帰する。このように、オルタネイト動作部７０は、可動アーム４０をロックするロック機構と、該ロック機構による可動アーム４０のロックを解除可能なロック解除機構との双方を兼務している。
【００３１】
次に、上記構成のドリンクホルダ１０に飲料容器がセットされたときの保持機構３０の動作について説明する。図５〜図７には飲料容器がグラス状の飲料容器（以下、「第１容器」ともいう。）である場合について示され、図８及び図９には飲料容器がボトル状の飲料容器（以下、「第２容器」ともいう。）である場合について示されている。
【００３２】
（第１容器）
図５に示されるように、第１容器Ｂは、ガラスを主材料し、飲料が注がれるカップＢａと底部に位置する台Ｂｂとの間に長軸状のステムＢｃが介在するように構成された中細りタイプの容器である。この第１容器Ｂとして典型的には、ワイングラス、シャンパングラスが挙げられる。第１容器Ｂの台Ｂｂは、天板部２０の挿入開口２１を通じて台座３５の支持面３５ａに置かれる。第１容器Ｂの自重によって台座３５に下向きの荷重が付与されると、台座３５は弾性部材６０の弾性付勢力に抗して上昇位置Ｐ１から下降する。このとき、台座３５は、前述のリンク機構５０の作用によってホルダベース３１に対して平行に下降する。可動アーム４０が台座３５の動作に連動して台座３５の径方向内方に回動することによって、可動アーム４０の係合爪４１ａは、台座３５の上方空間Ａを外れた保持解除位置Ｑ１から上方空間Ａに向けて動く。
【００３３】
ここで、上方空間Ａは、台座３５の支持面３５ａよりも上方の領域であり且つ台座３５の外形の範囲内に属する領域として定義される。また、保持解除位置Ｑ１は、台座３５の径方向について上方空間Ａよりも外側の位置として定義される。
【００３４】
台座３５は、図６に示される中間位置Ｐ２まで下降した後、第１容器Ｂを掴んでいる人から受ける押し下げ荷重によって、弾性部材６０の弾性付勢力に抗して図７に示される下降位置Ｐ３まで下降する。このとき、可動アーム４０の同方向への更なる回動によって、可動アーム４０の係合爪４１ａは上方空間Ａに進入したのち上方空間Ａにおいて台座３５の支持面３５ａとの上下方向Ｙの間隔を縮めながら、中間位置Ｑ２から保持位置Ｑ３へと動く。上記の間隔について、係合爪４１ａが保持位置Ｑ３にあるときの間隔Ｈ２は、係合爪４１ａが中間位置Ｑ２にあるときの間隔Ｈ１を下回る。即ち、係合爪４１ａは、上方空間Ａに進入した後は第１容器Ｂの台Ｂｂを上方から押さえ込む方向に動く。
【００３５】
台座３５が下降位置Ｐ３に達するまで押し下げられ、可動アーム４０の係合爪４１ａが保持位置Ｑ３まで動いたとき、前述のオルタネイト動作部７０のロック機能が発揮され、ホルダベース３１に対して台座３５がロックされる。加えて、台座３５にリンク機構５０を介して連結されている可動アーム４０がロックされる。このとき、可動アーム４０の係合爪４１ａと台座３５の支持面３５ａとの間隔Ｈ２が第１容器Ｂの台Ｂｂの上下方向Ｙの高さに概ね一致するのが好ましい。これにより、第１容器Ｂは、その底部に位置する台Ｂｂが４つの係合爪４１ａと台座３５の支持面３５ａとの間に挟み込まれることによって保持される。尚、係合爪４１ａが保持位置Ｑ３において台Ｂｂの上面との間に隙間を形成した場合でも、係合爪４１ａと支持面３５ａとの間に介在する台Ｂｂは上下動や傾動が規制されるため、第１容器Ｂを保持する効果が得られる。
【００３６】
その後、ドリンクホルダ１０から第１容器Ｂを取り出す場合、図７中の下降位置Ｐ３にある台座３５を再度押し下げる。このとき、前述のオルタネイト動作部７０のロック解除機能が発揮され、ホルダベース３１に対する台座３５のロックが解除される。加えて、台座３５にリンク機構５０を介して連結されている可動アーム４０のロックが解除される。これにより、係合爪４１ａによる保持が解除された第１容器Ｂを台座３５から持ち上げる操作が可能になる。この操作によって、台座３５に作用する下向きの荷重（第１容器Ｂの自重及び押し下げ荷重）が除去される。台座３５は弾性部材６０の弾性付勢力にしたがって図７中の下降位置Ｐ３から図５中の上昇位置Ｐ１に向けて上昇し、且つ可動アーム４０の係合爪４１ａは図７中の保持位置Ｑ３から図５中の保持解除位置Ｑ１に向けて動く。可動アーム４０の係合爪４１ａが台座３５の上方空間Ａから外れた保持解除位置Ｑ１まで動く結果、第１容器Ｂを天板部２０の挿入開口２１を通じてドリンクホルダ１０から取り出すことが可能になる。
【００３７】
（第２容器）
図８に示されるように、第２容器Ｃは、ＰＥＴを主材料し、その底部が筒状に構成されている。この第２容器Ｃは、前記の第１容器Ｂとは異なり、その外径が高さ方向について殆ど変化しない。第２容器Ｃは、天板部２０の挿入開口２１を通じて台座３５の支持面３５ａに置かれる。第２容器Ｃの自重によって台座３５に下向きの荷重が付与されると、第１容器Ｂの場合と同様に台座３５及び可動アーム４０のそれぞれが作動する。台座３５は弾性部材６０の弾性付勢力に抗して上昇位置Ｐ１から下降する。可動アーム４０は、台座３５の動作に連動して係合爪４１ａが台座３５の上方空間Ａを外れた保持解除位置Ｑ１から上方空間Ａに向けて動くように台座３５の径方向内方に回動する。
【００３８】
図９に示されるように、台座３５が中間位置Ｐ２まで下降したとき、可動アーム４０は中間位置Ｑ２まで回動する。このとき、可動アーム４０の係合爪４１ａは、台座３５の上方空間Ａに進入した後に第２容器Ｃの容器外周面Ｃａに当接する方向に動く。このときオルタネイト動作部７０のロック機能は発揮されず可動アーム４０はロックされないが、４つの係合爪４１ａがいずれも第２容器Ｃの容器外周面Ｃａに当接することによって第２容器Ｃが保持される。一方で、第２容器Ｃを台座３５から持ち上げる操作によって、台座３５に作用する下向きの荷重（第１容器Ｂの自重）が除去される。台座３５は図９中の中間位置Ｐ２から図８中の上昇位置Ｐ１に向けて上昇し、且つ可動アーム４０の係合爪４１ａは図９中の中間位置Ｑ２から図８中の保持解除位置Ｑ１に向けて動く。可動アーム４０の係合爪４１ａが台座３５の上方空間Ａから外れた保持解除位置Ｑ１まで動く結果、第２容器Ｃを天板部２０の挿入開口２１を通じてドリンクホルダ１０から取り出すことが可能になる。
【００３９】
上記構成のドリンクホルダ１０によれば、上記の第１容器Ｂ及び第２容器Ｃと同様にして、様々な形状の飲料容器を保持することが可能になる。
【００４０】
このドリンクホルダ１０において、可動アーム４０を台座３５に連動して回動する回動式としたため、可動アーム４０を動かすための機構をコンパクトに設計することができる。その結果、シート１のアームレスト５の限られたスペースにドリンクホルダ１０を装着することが可能になる。
【００４１】
また、このドリンクホルダ１０によれば、一対のクロスリンクアーム５２，５３を用いる簡単な構造のリンク機構５０を利用して、台座３５をホルダベース３１に対して平行な状態で安定的に昇降動作させることができる。
【００４２】
更に、このドリンクホルダ１０によれば、オルタネイト動作部７０において台座３５を押し下げる簡単な操作のみで可動アーム４０のロック状態とロック解除状態とを切り替えることができる。このオルタネイト動作部７０が可動アーム４０のためのロック機構及びロック解除機構を兼務することによって、ロック機構及びロック解除機構のそれぞれの部品が共通化されるためドリンクホルダ１０の部品点数を少なく抑えることが可能になる。
【００４３】
本発明は、上記の典型的な実施形態のみに限定されるものではなく、本発明の目的を逸脱しない限りにおいて種々の応用や変形が考えられる。例えば、上記の実施形態を応用した次の各形態を実施することもできる。
【００４４】
上記の実施形態では、台座３５が上昇位置において天板部２０よりも下方に配置される場合について記載したが、図１０に示されるように、台座３５は、上昇位置において挿入開口２１に進入して支持面３５ａが天板部２０の上面２０ａと同一平面を形成するように構成されてもよい。例えば、弾性部材６０のばね定数を変更することによって本構成を実現することができる。本構成によれば、ドリンクホルダ１０の未使用時に天板部２０及び台座３５によって凹凸の無いフラットな面を形成することができドリンクホルダ１０の見栄えが良い。
【００４５】
上記の実施形態では、台座３５の下降動作に連動して可動アーム４０が回動する場合について記載したが、可動アーム４０は台座３５の下降動作に伴って動けばよく、台座３５の下降動作に連動しなくてもよい。例えば、台座３５が下降位置に達した後に、可動アーム４０が回動するような構成を採用することもできる。また、可動アーム４０は、回動軸を中心に回動する回動式として構成される以外に、直線的或いは曲線的にスライドするスライド式として構成されてもよい。
【００４６】
上記の実施形態では、４つの可動アーム４０が台座３５の周方向に等間隔で配置される場合について記載したが、飲料容器に対する所望の保持性能が得られることを条件に可動アーム４０の数や配置を変更することもできる。可動アーム４０の数は、１つ或いは複数とすることができる。飲料容器に対する保持性能を強化するために、可動アーム４０の数を３つ以上に設定するのが好ましい。この場合、３つ以上の可動アーム４０は、台座３５の周方向に等間隔で配置されるのが好ましい。
【００４７】
上記の実施形態では、可動アーム４０のためのロック機能及びロック解除機能をオルタネイト動作部７０が実行する場合について記載したが、これらロック機能及びロック解除機能が別個の手段によって実行されてもよい。
【００４８】
上記の実施形態では、回転カム方式のオルタネイト動作部７０について記載したが、このオルタネイト動作部７０に代えて、ハート状カム方式やラチェットカム方式のオルタネイト動作部を採用することもできる。
【００４９】
上記の実施形態では、自動車用のシート１に装着されるドリンクホルダ１０について記載したが、このドリンクホルダ１０の構造を、自動車以外の車両や乗り物に設けられるシートや、会議場、劇場、映画館などの屋内施設に配置されるシート等に装着されるドリンクホルダに適用することもできる。
【符号の説明】
【００５０】
１０  ドリンクホルダ
２０  天板部
２０ａ  上面
２１  挿入開口
３１  ホルダベース
３５  台座
３５ａ  支持面
４０  可動アーム
４１ａ  係合爪
４３  第１回動軸
４４  第２回動軸
５２，５３  クロスリンクアーム
５１  支軸
６０  弾性部材
７０  オルタネイト動作部
Ａ  上方空間
Ｂ  第１容器（飲料容器）
Ｃ  第２容器（飲料容器）
Ｐ１  上昇位置
Ｐ３  下降位置
Ｑ１  保持解除位置
Ｑ３  保持位置
【図１】
0006515782.tif 000002
【図２】
0006515782.tif 000003
【図３】
0006515782.tif 000004
【図４】
0006515782.tif 000005
【図５】
0006515782.tif 000006
【図６】
0006515782.tif 000007
【図７】
0006515782.tif 000008
【図８】
0006515782.tif 000009
【図９】
0006515782.tif 000010
【図１０】
0006515782.tif 000011